(57)【要約】本発明は、ロアレール（２）及びアッパレール（３）を含む車両シート用長手方向調整デバイスに関する。アッパレール（３）はロアレール（２）に長手方向変位可能に配列される。本発明によれば、アッパレール（３）はロアレール（２）と係合し、保持及び案内要素（１５）が、ロアレール（２）のアッパエッジ（１４）上に一体的に形成され又は配列されるように設計され、前記要素は、動作位置においてアッパレール（３）をロアレール（２）上に保持し、少なくとも２つのロック要素（９）がアッパレール（３）に配列及び／又は統合されてそのロック解除の後に、所定位置にあるアッパレール（３）及びこれに取り付けられた車両シートを、ロアレール（２）から分離することができる。
2013534193.tif 000002
【特許請求の範囲】
【請求項１】
ロアレール（２）と、前記ロアレール（２）に変位可能に配列されるアッパレール（３）とを含む車両シート用長手方向調整デバイスであって、
前記アッパレール（３）は前記ロアレール（２）と係合し、保持及び案内要素（１５）が、前記ロアレール（２）のアッパエッジ（１４）上に一体的に形成され又は配列され、
前記保持及び案内要素は、動作位置において前記アッパレール（３）を前記ロアレール（２）上に保持し、
少なくとも２つのロック要素（９）が前記アッパレール（３）に配列及び／又は統合されてそのロック解除後に、所定位置にある前記アッパレール（３）及びこれに締結された車両シートを、前記ロアレール（２）から分離することができる長手方向調整デバイス。
【請求項２】
前記アッパレール（３）と前記ロアレール（２）との間に作用する保持力が、前記ロック要素（９）が形成する確実動作的連結によって水平長手方向及び垂直方向に伝達される、請求項１に記載の長手方向調整デバイス。
【請求項３】
前記アッパレール（３）と前記ロアレール（２）との間に作用する保持力は、前記保持及び案内要素（１５）が形成する確実動作的連結によって垂直方向に伝達され、少なくとも前記ロック要素（９）上のアッパ面に作用することができる、請求項１又は２に記載の長手方向調整デバイス。
【請求項４】
前記ロアレール（２）に複数の抜き部（１６）が配列され、前記アッパレール（３）は、前記抜き部（１６）が予め定めた少なくとも一つの位置において前記ロアレール（２）から分離することができる、請求項１から３のいずれか一項に記載の長手方向調整デバイス。
【請求項５】
前記ロアレール（２）のレール外形（６）の側部（１２）に複数の貫通孔（１３）が形成され、前記貫通孔は、前記ロアレール（２）の長手方向において互いに隣接して配列される、請求項１から４のいずれか一項に記載の長手方向調整デバイス。
【請求項６】
前記ロアレール（２）に配列される前記アッパレール（３）のロア領域（５）が、前記ロアレール（２）にある受容レール外形（６）に対応する形状とされる、請求項１から５のいずれか一項に記載の長手方向調整デバイス。
【請求項７】
いずれにせよ、前記アッパレール（３）の前端領域（７）及び後端領域（８）にロック要素（９）が配列される、請求項１から６のいずれか一項に記載の長手方向調整デバイス。
【請求項８】
前記保持及び案内要素（１５）のそれぞれにおいて、２つの抜き部（１６）が互いに、前記アッパレール（３）における前記ロック要素（９）同士間に対応する距離をおいて配列される、請求項７に記載の長手方向調整デバイス。
【請求項９】
ロックピン（１８）が、前記ロアレール（２）と前記アッパレール（３）との整列に対して横切る方向において、前記ロック要素（９）それぞれに変位可能に配列され、前記ロックピン（１８）の断面は、前記レール外形（６）の側部（１２）に配列される貫通孔（１３）に対応するように形成される、請求項４から８のいずれか一項に記載の長手方向調整デバイス。
【請求項１０】
少なくとも２つのローラ要素（１０）が、前記アッパレール（３）に回転可能に配列又は統合され、前記ローラ要素は、前記アッパレール（３）のロア面上に少なくとも一部が突出する、請求項１から９のいずれか一項に記載の長手方向調整デバイス。
【請求項１１】
前記アッパレール（３）の動作位置において、前記ローラ要素（１０）は前記ロアレール（２）のレール外形（６）の中を転動する、請求項１０に記載の長手方向調整デバイス。
【請求項１２】
前記アッパレール（３）に少なくとも一つのさらなるロックユニットが配列され、前記ロックユニットは、ロック位置において前記レール外形（６）のアッパエッジ（１４）の下に係合して前記アッパレール（３）が前記ロアレール（２）から持ち上げられることを防止し、ロック解除位置において前記アッパレール（３）が前記ロアレール（２）から持ち上げられることを可能とする、請求項１から１１のいずれか一項に記載の長手方向調整デバイス。
【請求項１３】
前記ロアレール（２）は、少なくとも前記レール外形（６）と、その側方に配列される２つのフランジ領域（１１）とを含む、請求項１から１２のいずれか一項に記載の長手方向調整デバイス。
【請求項１４】
２つの前記保持及び案内要素（１５）は、互いに対向して前記ロアレール（２）のレール外形（６）の側部（１２）を超えて突出するように整列される、請求項１から１３のいずれか一項に記載の長手方向調整デバイス。
【請求項１５】
前記フランジ領域（１１）は、前記アッパエッジ（１４）上で面取りされ、この態様において前記保持及び案内要素（１５）を形成する、請求項１から１４のいずれか一項に記載の長手方向調整デバイス。
【発明の詳細な説明】
【技術分野】
【０００１】
本発明は、請求項１のプリアンブルに記載の、分離可能なアッパ及びロアレールを含む車両シート用長手方向調整デバイスに関する。
【背景技術】
【０００２】
アッパ及びロアレールを含む通常の車両シート用長手方向調整デバイスは、従来技術の一部を形成する。アッパレールは、ロアレールに配列されるか又はこれに係合する。アッパレールは、ロアレールに対応する形状とされる。アッパレールがロアレールから分離され得ることは仮定されていない。
【０００３】
分離可能な長手方向調整デバイスは、例えば特許文献１、２、又は３に開示されている。
【０００４】
従来技術において、変位可能かつ取り外し可能又は変位可能かつ傾動可能な車両シートは、ロアレール及びアッパレールからなるレールユニットと別個の分離デバイスとを含む。前記分離デバイスは、レールユニットと、当該レールユニットから分離される車両シートとの間に分離箇所が形成される。
【先行技術文献】
【特許文献】
【０００５】
【特許文献１】独国特許出願公開第１０２００９０３８１２６（Ａ１）号明細書
【特許文献２】独国特許出願公開第１０２００９０４８４９８（Ａ１）号明細書
【特許文献３】欧州特許出願公開第０９２２６０６（Ａ１）号明細書
【発明の概要】
【０００６】
本発明の目的は、分離可能なアッパ及びロアレールを含む車両シート用長手方向調整デバイスを特定することにある。前記長手方向調整デバイスは改善され、特に、従来技術と比べて柔軟な態様で及び簡単に使用することができる。
【０００７】
当該目的は、長手方向調整デバイスに関し、請求項１に記載の特徴によって達成される。
【０００８】
本発明の有利な進展が、従属項の主題を形成する。
【０００９】
ロアレール及びアッパレールを含み、当該アッパレールが当該ロアレールに長手方向変位可能に配列される車両用長手方向調整デバイスにおいて、本発明によれば、アッパレールはロアレールと係合し、保持及び案内要素が当該ロアレールのアッパエッジに構成、一体的に形成、又は配列される。前記保持及び案内要素は、ロアレール上の動作位置においてアッパレールを保持する。少なくとも２つのロック要素が、アッパレールに配列及び／又は統合される。そのロック解除後、アッパレール及び所定位置においてこれに締結された車両シートを、ロアレールから分離することができる。したがって、車両シートを当該車両から簡単な態様で取り外すことができる。
【００１０】
従来技術と比べ、レールユニットと車両シートとの間の別個の分離デバイスを排除することができる。前記分離デバイスは高価でかつ重く、大きな構成スペースが必要となる。
【００１１】
特に有利な態様において、本発明により、ロアレールのための簡単かつコスト効率のよい設計が可能となる。その結果、特に大きな調整経路を有する長手方向調整デバイスを、車体上に直接又は車体中に統合することができる。
【００１２】
有利には、ロック要素が形成する確実動作的連結によって、アッパレールとロアレールとの間の保持力を水平長手方向及び垂直方向に伝達することができる。
【００１３】
特に有利な態様において、アッパレールとロアレールとの間に作用する保持力は、保持及び案内要素が形成する確実動作的連結によって垂直方向に伝達され、少なくともロック要素上のアッパ面に作用することができる。
【００１４】
有利な実施例おいて、複数の抜き部がロアレールに配列される。当該抜き部が予め定める少なくとも一つの位置において、アッパレールをロアレールから分離することができる。
【００１５】
便宜上、ロアレールのレール外形の側部に複数の貫通孔が形成される。前記貫通孔は、ロアレールの長手方向において互いに隣接して配列され、当該ロアレールに対して特に精細に調整された態様でアッパレールを阻止することが許容される。
【００１６】
さらに有利な実施例において、ロアレールに配列されるアッパレールのロア領域は、当該ロアレールにおける受容レール外形に対応する形状とされる。その結果、ロアレールに対するアッパレールの動きが、最小のクリアランス又はクリアランスなしで可能となる。
【００１７】
便宜上、いずれにせよ、アッパレールの前端及び後端領域にはロック要素が配列される。
【００１８】
さらに有利な実施例において、保持及び案内要素が、ロアレールのアッパエッジに構成、一体的に形成、又は配列される。前記保持及び案内要素は、ロアレール上の動作位置にアッパレールを保持する。
【００１９】
各保持及び案内要素において、好ましくは２つの抜き部が互いに、アッパレールにおけるロック要素同士間距離に対応する距離をおいて配列される。したがって、アッパレールがロアレールから持ち上げられる位置が、抜き部によって予め定められる。
【００２０】
特に好ましくは、ロックピンが、ロアレールとアッパレールとの整列に対して横切る方向において、ロック要素に変位可能に配列される。ロックピンの断面は、レール外形の側部に配列される貫通孔に対応する形状とされる。その結果、ロアレール及びアッパレールは互いに対して阻止され、当該ロアレールと当該アッパレールとの間の動きが防止される。
【００２１】
好ましくは、少なくとも２つのローラ要素が、アッパレールに回転可能に配列又は統合される。前記ローラ要素は、少なくとも一部がアッパレールのロア面上に突出する。アッパレールの動作位置において、ローラ要素は、ロアレールのレール外形において転動する。その結果、ロアレール２に対するアッパレール３の動きが、特に最小の摩擦及び低減された力によって可能となる。
【００２２】
代替実施例において、少なくとも一つのさらなるロックユニットがアッパレールに配列される。前記ロックユニットは、ロック位置においてレール外形のアッパエッジの下に係合し、アッパレールがロアレールから持ち上げられるのを防止する。ロック解除位置では、アッパレールがロアレールから持ち上げられるのを可能とする。したがって、アッパレールは、任意位置においてロアレールから分離することができる。
【００２３】
ロアレールは便宜上、少なくとも当該レール外形と、これの側方に配列される２つのフランジ領域とを含む。フランジ領域は、レール外形の側部にある貫通孔を覆い、ひいては車両乗員への傷害リスクを最小限にする。
【００２４】
好ましくは、２つの保持及び案内要素は、互いに対向してロアレールのレール外形の側部を超えて突出するように整列される。したがって、アッパレールの動作位置にあるロック要素は、保持及び案内要素によって確実動作的に保持される。アッパレールは、ロアレールから垂直方向に持ち上げられることに対抗して固定される。
【００２５】
特に好ましい態様において、フランジ領域は、そのアッパエッジが面取りされ、この態様で保持及び案内要素を形成する。その結果、特に簡単かつ有効な態様でロアレールを製造することができる。好ましくは、前記ロアレールは、互いに連結される２つのスタンプ成形金属部品からなる。
【００２６】
添付の概略図面を参照して本発明が詳細に記載される。
【図面の簡単な説明】
【００２７】
【図１】レールユニットの斜視図を概略的に示す。
【図２】アッパレールの斜視図を概略的に示す。
【図３】ロアレールの斜視図を概略的に示す。
【図４】動作位置にあるロック要素の断面図を概略的に示す。
【図５】取り外し位置にあるロック要素の断面図を概略的に示す。
【発明を実施するための形態】
【００２８】
すべての図において、互いに対応する部品には同じ参照番号が与えられる。
【００２９】
図１において、レールユニット１の斜視図が概略的に示される。かかるレールユニット１は、ロアレール２及びアッパレール３を含む。
【００３０】
ロアレール２は、図示しないが、通常の態様で車両の車両フロアに締結され、好ましくは、当該車両の長手方向に整列される。
【００３１】
通常の車両シートがアッパレール３上に配列される。そのフレーム要素４が示されている。したがって、車両シートは、ロアレール２に対するアッパレール３の長手方向変位によって車両内において変位することができる。
【００３２】
図１に示されるレールユニット１の動作位置において、アッパレール３は、少なくとも一部がロアレール２に対し長手方向変位可能に配列される。
【００３３】
ロアレール２に配列されるアッパレール３のロア領域５は、ロアレール２における受容レール外形６に対応する形状とされる。
【００３４】
図２において、アッパレール３の斜視図が、これに配列されるフレーム要素４とともに概略的に示される。
【００３５】
いずれにせよ、アッパレール３の前端領域７及び後端領域８にロック要素９が配列される。
【００３６】
ロック要素９は、アッパレール３のロア領域５に配列され、レールユニット１の動作位置においては、その内部にあるロアレール２のレール外形６に配列される。
【００３７】
アッパレール３のロア領域５において、少なくとも２つの通常のローラ要素１０がロック要素９同士の間に回転可能に配列される。前記ローラ要素１０は、ロアレール２のレール外形６内を転動し、その結果、ロアレール２に対するアッパレール３の動きが、最小の摩擦及び低減された力で許容される。
【００３８】
図示しないが、代替実施例において、摩擦低減プラスチック材料から作られた通常のスライド要素を、ローラ要素１０の代わりに配列することもできる。
【００３９】
図示しないが、さらなる代替実施例において、ローラ要素１０は、ロアレール２のフランジ領域１１上を転動することができる。
【００４０】
図３において、ロアレール２の斜視図が概略的に示される。
【００４１】
ロアレール２は、少なくとも当該レール外形６と、その側方に配列される２つのフランジ領域１１とを含む。
【００４２】
レール外形６は、実質的にＵ字形状構成とされ、その側部１２に複数の貫通孔１３を有する。複数の貫通孔１３は、レール外形６の長手方向において互いに隣接して配列される。
【００４３】
レール外形６の各側部１２のアッパエッジ１４には、保持及び案内要素１５が配列される。
【００４４】
２つの保持及び案内要素１５は、互いに対向して側部１２を超えて突出するように整列される。
【００４５】
特に、フランジ領域１１がアッパエッジ１４上で面取りされて保持及び案内要素１５を形成する。
【００４６】
図示しないが、変形例において、保持及び案内要素１５は、別個のコンポーネントとして構成して、アッパエッジ１４上に配列することができる。
【００４７】
各保持及び案内要素１５において、２つの抜き部１６が互いに、アッパレール３におけるロック要素９同士間に対応する距離をおいて配列される。
【００４８】
２つの隣接する保持及び案内要素１５の抜き部１６は、互いに対向して配列される。
【００４９】
抜き部１６は、側部１２を超えて突出することがないように形成される。例えば、側部１２と抜き部１６とは互いに面一に終端する。
【００５０】
図４において、動作位置にあるロック要素９の断面図が概略的に示される。
【００５１】
動作位置と称されるのは、アッパレール３がロアレール２に変位可能に配列される位置であり、ロック要素９は抜き部１６の領域内に配置されていない。
【００５２】
その結果、ロック要素９は、そのアッパ面１７が保持及び案内要素１５によって保持され、アッパレール３がロアレールからの分離に対抗して確実動作的に固定される。この場合、アッパレール３とロアレール２との間に作用する保持力は、この確実動作的連結によって垂直方向に伝達される。
【００５３】
ロック要素９の幅は、レール外形６の内幅に対応する形状とされる。
【００５４】
ロックピン１８は、車両短手方向において、すなわちレールユニット１の整列に対して横切って、変位可能にロック要素９に配列される。
【００５５】
ロックピン１８の断面は、レール外形６の側部１２における貫通孔１３に対応する形状とされる。
【００５６】
ロック要素９の動作中、ロックピン１８は、第１位置において完全にロック要素９内に配列される。この位置において、アッパレール３は、ロアレール２内を変位することができる。
【００５７】
第２位置において、ロックピン１８は、ロック要素９から突出するように車両短手方向に配置され、レール外形６の側部１２にある複数貫通孔１３の一つに配列される。この位置において、アッパレール３はロアレール２内で阻止され、アッパレール３とロアレール２との間の相対的動きが存在しない。その結果、アッパレール３上に配列された車両シートは変位することができず、その位置は、変更を受けることに対抗して固定される。
【００５８】
図５において、取り外し位置にあるロック要素９の断面図が概略的に示される。
【００５９】
ロック要素９が抜き部１６の領域内に配置される位置を、取り外し位置と称する。
【００６０】
この位置においてロック要素９は、保持及び案内要素１５によってアッパ面１７に保持される。その結果、ロックピン１８を解放した後、アッパレール３は、そこに配列された車両シートとともに、ロアレール２から上方に、すなわち車両から、取り外される。
【００６１】
図示しないが、代替実施例において、保持及び案内要素１５は、レール外形６のアッパエッジ１４とともに設けられる。少なくとも一つのさらなるロックユニットがアッパレール３に配列され、前記ロックユニットは、ロック位置においてレール外形６のアッパエッジ１４の下に係合し、ひいてはアッパレール３がロアレール２から持ち上げられることを防止する。アッパレール３がロアレール２から持ち上げられることは、当該さらなるロックユニットのロック解除位置において可能となる。アッパレール３における当該さらなるロックユニットによって、アッパレール３とロアレール２との分離が、レールユニット１の可動範囲内の任意箇所において可能となる。
【符号の説明】
【００６２】
１  レールユニット
２  ロアレール
３  アッパレール
４  フレーム要素
５  ロア領域
６  レール外形
７  前端領域
８  後端領域
９  ロック要素
１０  ローラ要素
１１  フランジ領域
１２  側部
１３  貫通孔
１４  アッパエッジ
１５  保持及び案内要素
１６  抜き部
１７  アッパ面
１８  ロックピン
【図１】
2013534193.tif 000003
【図２】
2013534193.tif 000004
【図３】
2013534193.tif 000005
【図４】
2013534193.tif 000006
【図５】
2013534193.tif 000007
【手続補正書】
【提出日】平成25年2月13日(2013.2.13)
【手続補正１】
【補正対象書類名】図面
【補正対象項目名】図２
【補正方法】変更
【補正の内容】
【図２】
2013534193.tif 000008
【手続補正２】
【補正対象書類名】図面
【補正対象項目名】図４
【補正方法】変更
【補正の内容】
【図４】
2013534193.tif 000009
【手続補正３】
【補正対象書類名】図面
【補正対象項目名】図５
【補正方法】変更
【補正の内容】
【図５】
2013534193.tif 000010
【国際調査報告】
2013534193.tif 000011
2013534193.tif 000012
2013534193.tif 000013
2013534193.tif 000014
2013534193.tif 000015
2013534193.tif 000016